(57)【要約】【課題】蒲団のカバー掛けを簡単にする。【解決手段】蒲団カバー１ａを、略長方形の下側被覆体３及び上側被覆体２とによって袋状に形成されたカバー本体４と、そのカバー本体４の対向する辺部である両長辺部６に設けたファスナー８とによって構成する。両長辺部６はファスナー８によって開閉自在に形成される。さらに上側被覆体２を頭側被覆体２ａと足側被覆体２ｂとに切断端部１３で２つに切断する。ファスナー８の下側テープ部１０を下側被覆体３の長辺部６に縫着する。また、ファスナー８の上側テープ部９を頭側テープ部９ａと足側テープ部９ｂとに切断端部１３で切断し、頭側テープ部９ａを頭側被覆体２ａに、足側テープ部９ｂを足側被覆体２ｂに夫々縫着する。【選択図】　　　　図１
2004008652.tif 000002
【特許請求の範囲】
【請求項１】
下側被覆体と上側被覆体とからなる袋状のカバー本体と、カバー本体の対向する辺部を開閉する開閉手段とを備えてなる蒲団カバーであって、
下側被覆体と上側被覆体との何れか一方の被覆体を前記対向する辺部に対して交差するように切断し、切断された被覆体毎に前記開閉手段を設け、切断された被覆体をその切断端部から両側に展開自在に形成してなることを特徴とする蒲団カバー。
【請求項２】
切断された被覆体の夫々の切断端部に係着部材を設け、夫々の切断端部を互いに着脱自在に形成してなることを特徴とする請求項１に記載の蒲団カバー。
【発明の詳細な説明】
【０００１】
【発明の属する技術分野】
本発明は、寝具用掛け蒲団、敷き蒲団、あるいはこたつ蒲団等を被覆するための蒲団カバーに関するものである。
【０００２】
【従来の技術】
従来、蒲団カバーとして、特開平９−３１３３２４号公報に記載されたものが知られている。これは、上側被覆体と下側被覆体とによってカバー本体を袋状に形成し、左右両側をスライドファスナーで開閉できるようにしたものである。この蒲団カバーによれば、左右両側のスライドファスナーを開くことによって、例えば羽毛蒲団等の嵩のある蒲団であっても簡単にカバー掛けができ、加えて蒲団カバー内の四隅角部に設けたズレ止め紐で蒲団を止着する場合にも、左右両側から間近で紐結び等を確実に行うことができ止着作業を容易にできる。
【０００３】
【発明が解決しようとする課題】
しかし、従来の蒲団カバーでは、スライドファスナーを開いた左右どちらか一方の開口部から蒲団を入れる作業が必要となるため、蒲団を持ち上げてその下面に蒲団カバーを通したり、他方の開口部から蒲団を引っ張り出す等、依然としてカバー掛け作業に手間がかかるという問題点が残されていた。
【０００４】
そこで、本発明の課題は、蒲団のカバー掛けが簡単にできる蒲団カバーを提供することにある。
【０００５】
【課題を解決するための手段】
上記の課題を解決するために、請求項１に記載の発明は、下側被覆体と上側被覆体とからなる袋状のカバー本体と、カバー本体の対向する辺部を開閉する開閉手段とを備えてなる蒲団カバーであって、下側被覆体と上側被覆体との何れか一方の被覆体を前記対向する辺部に対して交差するように切断し、切断された被覆体毎に前記開閉手段を設け、切断された被覆体をその切断端部から両側に展開自在に形成するように構成される。
【０００６】
また、請求項２に記載の発明は、切断された被覆体の夫々の切断端部に係着部材を設け、夫々の切断端部を互いに着脱自在に形成するように構成される。
【０００７】
【発明の実施の形態】
以下、本発明に係る蒲団カバーの実施の形態を図面に基づいて説明する。図１及び図２に示すように、この実施形態の蒲団カバー１ａは、略長方形の下側被覆体３及び上側被覆体２とによって袋状に形成されたカバー本体４と、そのカバー本体４の対向する辺部である両長辺部６に設けたファスナー８とによって構成され、両長辺部６は開閉手段としてのファスナー８によって開閉自在に形成されている。さらに、本蒲団カバー１ａにおいては、上側被覆体２が頭側被覆体２ａと足側被覆体２ｂとに２つに切断されている。
【０００８】
その頭側被覆体２ａと足側被覆体２ｂとの切断端部１３は、カバー本体４の短辺部７に対して平行に設けられると共に上側被覆体２を横断して両側の長辺部６に対して交差するように設けられ、頭側被覆体２ａと足側被覆体２ｂとの長手方向の長さの比が略１：４になる位置に形成されている。また切断端部１３は、足側被覆体２ｂの切断端部上面に頭側被覆体２ａの切断端部が重なり合うように帯状に形成されている。切断端部１３の互いの当接面には、頭側被覆体２ａと足側被覆体２ｂとを着脱自在に係着する係着部材として、片面に無数の突起体を設け他面に突起係合体を設けてなる面ファスナー１５が横断方向に等間隔に３箇所設けられている。面ファスナー１５は長方形状に形成され、その長手方向をカバー本体４の長手方向に合わせてある。
【０００９】
カバー本体４の対向する長辺部６を開閉するファスナー８は、カバー本体４の長辺部６の全長と略等しく寸法取りされた上側テープ部９及び下側テープ部１０と、両テープ部９，１０の互いの隣接辺に等間隔に連設された爪形状の複数個のエレメント（図示略）と、各エレメントを挟み込みながら摺動する２つのスライダー１８とからなっている。また両テープ部９，１０の両外端部には、連接されたエレメントからスライダー１８が外れないようにするための下止具が夫々設けられている。このファスナー８では、２つのスライダー１８の間の両テープ部９，１０が開口部となり、２つのスライダー１８と両外端部の下止具との間の両テープ部９，１０が閉鎖部となる。
【００１０】
両テープ部９，１０の内、下側テープ部１０は、下側被覆体３の長辺部６に縫着されている。また、上側テープ部９は、上側被覆体２を構成する頭側被覆体２ａと足側被覆体２ｂとの長さに合わせて、頭側テープ部９ａと足側テープ部９ｂとに切断端部１３で切断されている。そして頭側テープ部９ａは頭側被覆体２ａに、足側テープ部９ｂは足側被覆体２ｂに夫々縫着されている。また頭側テープ部２ａ及び足側テープ部２ｂの先端部は夫々の被覆体２ａ，２ｂの切断端部１３付近に縫いつけられている。
【００１１】
この蒲団カバー１ａによる蒲団１１のカバー掛け手順を説明する。
［手順１］２つのスライダー１８を両外端部の下止具まで夫々移動させてファスナー８を開き、頭側被覆体２ａと足側被覆体２ｂとの当接面の面ファスナー１５を剥がし、下側被覆体３に重なっている上側被覆体２を切断端部１３からカバー本体４の長手方向に展開することで、下側被覆体３の内側全面を開放する（図２（ａ））。
［手順２］開放された下側被覆体３に位置合わせして蒲団１１を載せる。カバー本体４内の下側被覆体３の４隅角部に設けたズレ止め紐２２を蒲団１１の止め輪２３に夫々結び付ける（図２（ａ），（ｂ））。
［手順３］足側被覆体２ｂを蒲団１１に覆い被せ（図２（ｃ））、頭側被覆体２ａを足側被覆体２ｂに重ね合うように覆い被せる。切断端部１３の面ファスナー１５を張り合わせると共にスライダー１８を下止具から切断端部１３まで引いてファスナー８を閉じ、蒲団カバー１ａによる蒲団１１のカバー掛けを完了する（図１）。
【００１２】
このような蒲団カバー１ａによれば、上側被覆体２を頭側被覆体２ａと足側被覆体２ｂとに２つに切断して展開自在に形成したので、蒲団１１にカバー掛けする際に、下側被覆体３の内側全面を開放させることができる。よって下側被覆体３に位置決めしながら蒲団１１を載せることができ、従来のように蒲団を持ち上げたりずらしたりすることなく蒲団カバー１ａ内の適正な位置に蒲団１１を収納でき、カバー掛けが簡単になる。また蒲団１１の上面及び側部が開放可能となるので、蒲団カバー１ａのズレ止め紐２２を露出させて蒲団１１の止め輪２３に結ぶ止着作業を簡単にできる。
【００１３】
さらに、上側テープ部９を頭側テープ部９ａと足側テープ部９ｂとに切断端部１３で切断すると共に頭側被覆体２ａと足側被覆体２ｂとに夫々縫着したので、従来の蒲団カバーと同様の一本のファスナー８の縫製の手間で、両側の長辺部６を夫々開閉できることに加えてさらに切断端部１３から頭側被覆体２ａと足側被覆体２ｂとを展開することが可能となる。また、頭側被覆体２ａと足側被覆体２ｂとの切断端部１３同士を重なり合うように形成し、その当接面に係着部材として面ファスナー１５を設け、夫々の切断端部１３を互いに着脱自在に形成したので、切断端部１３同士の接合が容易になる。さらに、当接面の面ファスナー１５を長方形状に形成し、その長手方向をカバー本体４の長手方向に合わせて設けたので、蒲団カバー１ａを掛けた蒲団１１を敷いたり畳んだりする際に、頭側被覆体２ａと足側被覆体２ｂとが剥がれにくくなる。
【００１４】
次に、上記構成の蒲団カバー１ａの縫製工程を説明する。
［工程１］下側被覆体３の両短辺と上側被覆体２を構成する頭側及び足側被覆体２ａ，２ｂとを縫着する。縫着が完了したカバー本体４は、頭側及び足側被覆体２ａ，２ｂの切断端部１３を両端辺部とする長尺帯状の略一枚布になっている。
［工程２］下側被覆体３の一方の長辺部６において、その全長と略同じ長さのファスナー８を用いて、その下側テープ部１０を下側被覆体３の長辺部６に縫着する。同様に他方の長辺部６にも、もう一本のファスナー８の下側テープ部１０を縫着する。
［工程３］頭側及び足側被覆体２ａ，２ｂを折り返して下側被覆体の上に重ね合わせ、両側のファスナー８の各上側テープ部９をその頭側及び足側被覆体２ａ，２ｂに縫着する。
［工程４］足側被覆体２ｂの切断端部１３の位置に合わせて、ファスナー８の上側テープ部９をハサミ等で切断する。
［工程５］余分な上側テープ部９の先端部を対応する頭側及び足側被覆体２ａ，２ｂに縫い付けて、蒲団カバー１ａの縫製を完了する。
【００１５】
このような工程からなる蒲団カバー１ａの縫製によれば、ファスナー８の上側テープ部９を切断された頭側被覆体２ａ及び足側被覆体２ｂに縫着した後に切断端部１３で切断するので、従来の蒲団カバーと同様のファスナー、つまり長辺部６と略同じ長さの一本のファスナー８を夫々の長辺部６に用いて本蒲団カバー１ａを縫製することができる。したがって、従来の蒲団カバーのファスナーの構成を変えることなく上側テープ部９の切断処理（［工程４］）を追加するだけで、従来の蒲団カバーの効果に加えて、上述した効果を備えた蒲団カバー１ａを縫製することが可能となる。
【００１６】
図３は、本発明に係る蒲団カバーの他の実施の形態を示す斜視説明図である。この蒲団カバー１ｂには、切断端部１３で切断された頭側被覆体２ａ側に設けられる頭側ファスナー８ａと、足側被覆体２ｂ側に設けられる足側ファスナー８ｂとが別体で備えられている。その他の構成は蒲団カバー１ａと同様である。この蒲団カバー１ｂによれば、被覆体２ａ，２ｂ毎にファスナー８ａ，８ｂを設ける点で既述の蒲団カバー１ａより縫製工程が増えるが、その他の点に関しては、蒲団カバー１ａと同様の優れた作用効果を得ることができる。
【００１７】
なお、本発明は上記実施形態に限定されるものではなく、以下に例示するように、本発明の趣旨を逸脱しない範囲で各部の形状並びに構成を適宜に変更して実施することも可能である。
（１）図４の蒲団カバー１ｃのように、ファスナー８を対向する短辺部７に夫々設けると共に、切断端部１３をその両短辺部７に対して交差するように設けること。この構成によっても蒲団カバー１ａと同様の作用効果を得ることができる。
（２）切断端部１３を、頭側被覆体２ａと足側被覆体２ｂとの長さの比が略１：４となる位置に限ることなく、任意の位置に形成すること。
（３）カバー本体４を、長方形状に限らず、正方形状に形成すること。
（４）切断端部１３の当接面における面ファスナー１５の配置数を増減すること。
（５）切断端部１３の当接面に設けた係着部材を、面ファスナー１５に限らず、ファスナー、ボタンやホック等で構成すること。
（６）本発明に係る蒲団カバー１ａ，１ｂ，１ｃを寝具用掛け蒲団、敷き蒲団、あるいはこたつ蒲団に用いること。
（７）開閉手段を、ファスナー８に限らず、面ファスナー、ボタンやホック等で形成すること。
【００１８】
【発明の効果】
以上詳述したように、請求項１の発明の蒲団カバーによれば、蒲団にカバー掛けする際に、下側被覆体と上側被覆体との何れか一方の被覆体の内側全面を開放させることができる。よって位置決めしながら蒲団を載せることができ、カバー掛けが簡単になる。
【００１９】
請求項２の発明の蒲団カバーによれば、切断端部に係着部材を設け、夫々の切断端部を互いに着脱自在に形成したので、切断端部同士の接合が容易になる。
【図面の簡単な説明】
【図１】本発明の一実施形態を示す蒲団カバーの斜視説明図である。
【図２】図１の蒲団カバーによる蒲団のカバー掛け手順を示す斜視説明図である。
【図３】本発明の他の実施形態を示す蒲団カバーの斜視説明図である。
【図４】図１の蒲団カバーの変更例を示す斜視説明図である。
【符号の説明】
１ａ，１ｂ，１ｃ・・蒲団カバー、２・・上側被覆体、２ａ・・切断された被覆体としての頭側被覆体、２ｂ・・切断された被覆体としての足側被覆体、３・・下側被覆体、４・・カバー本体、６・・長辺部、７・・短辺部、８，８ａ，８ｂ・・開閉手段としてのファスナー、９・・上側テープ部、１０・・下側テープ部、１３・・切断端部部、１５・・係着部材としての面ファスナー。
【図１】
2004008652.tif 000003
【図２】
2004008652.tif 000004
【図３】
2004008652.tif 000005
【図４】
2004008652.tif 000006